(57)【要約】【課題】多層光ディスクの記録再生において、頻発する層間移動を安定に実行させ、不要な記録再生動作の中断を回避すること。【解決手段】光ディスクの各記録面に層間移動を繰り返して交互にデータを記録するオートマチック・レイヤー・ジャンプ・レコーディング（ＡＬＪＲ）方式に従って記録を実行する場合、光ディスクの回転速度を通常の記録速度Ｖ０よりも減速した速度Ｖ１に設定して記録を実行する。あるいは、再生する光ディスクが、ＡＬＪＲ方式に従って記録された光ディスクである場合、回転速度を通常の記録速度Ｖ０よりも減速した速度Ｖ２に設定して再生を実行する。【選択図】図１
2006309814.tif 000002
【特許請求の範囲】
【請求項１】
複数の記録面を有する多層光ディスクにデータを記録又は再生する光ディスク記録再生装置において、
該光ディスクを回転させるスピンドルモータと、
該光ディスクにデータを記録又は再生するピックアップと、
該ピックアップの記録再生信号を処理する記録再生処理部と、
上記スピンドルモータの回転と上記ピックアップの移動を制御する制御部とを備え、
該制御部は、該光ディスクの各記録面に層間移動を繰り返して交互にデータを記録するオートマチック・レイヤー・ジャンプ・レコーディング方式に従って記録を実行する場合、該光ディスクの回転速度を通常の記録速度Ｖ０よりも減速した速度Ｖ１に設定してデータの記録を実行することを特徴とする光ディスク記録再生装置。
【請求項２】
複数の記録面を有する多層光ディスクにデータを記録又は再生する光ディスク記録再生装置において、
該光ディスクを回転させるスピンドルモータと、
該光ディスクにデータを記録又は再生するピックアップと、
該ピックアップの記録再生信号を処理する記録再生処理部と、
上記スピンドルモータの回転と上記ピックアップの移動を制御する制御部とを備え、
該制御部は、該光ディスクが、各記録面に層間移動を繰り返して交互にデータを記録するオートマチック・レイヤー・ジャンプ・レコーディング方式に従って記録された光ディスクである場合、該光ディスクの回転速度を通常の記録速度Ｖ０よりも減速した速度Ｖ２に設定してデータの再生を実行することを特徴とする光ディスク記録再生装置。
【請求項３】
請求項２記載の光ディスク記録再生装置において、
前記制御部は、前記光ディスクから、前記オートマチック・レイヤー・ジャンプ・レコーディング方式以外の方式にてデータを再生する場合、該光ディスクの回転速度を通常の記録速度Ｖ０にて再生を実行することを特徴とする光ディスク記録再生装置。
【請求項４】
請求項１又は２に記載の光ディスク記録再生装置において、
前記制御部は、前記回転速度をＶ１又はＶ２に減速するのは層間移動の期間のみであって、記録又は再生の期間では通常の回転速度Ｖ０にて動作させることを特徴とする光ディスク記録再生装置。
【請求項５】
複数の記録面を有する多層光ディスクにデータを記録再生する光ディスクの記録再生方法において、
該光ディスクの各記録面に層間移動を繰り返して交互にデータを記録するオートマチック・レイヤー・ジャンプ・レコーディング方式に従って記録を実行する場合、該光ディスクの回転速度を通常の記録速度Ｖ０よりも減速した速度Ｖ１にて記録を実行することを特徴とする光ディスクの記録再生方法。
【請求項６】
複数の記録面を有する多層光ディスクにデータを記録再生する光ディスクの記録再生方法において、
該光ディスクの各記録面に層間移動を繰り返して交互にデータを記録するオートマチック・レイヤー・ジャンプ・レコーディング方式に従って記録した光ディスクからデータを再生する場合、該光ディスクの回転速度を通常の記録速度Ｖ０よりも減速した速度Ｖ２にて再生を実行することを特徴とする光ディスクの記録再生方法。
【請求項７】
請求項６記載の光ディスクの記録再生方法において、
前記光ディスクから、前記オートマチック・レイヤー・ジャンプ・レコーディング方式以外の方式にてデータを再生する場合、該光ディスクの回転速度を通常の記録速度Ｖ０にて再生を実行することを特徴とする光ディスクの記録再生方法。
【請求項８】
請求項５又は６に記載の光ディスクの記録再生方法において、
前記回転速度をＶ１又はＶ２に減速するのは層間移動の期間のみであって、記録又は再生の期間では通常の回転速度Ｖ０にて動作させることを特徴とする光ディスクの記録再生方法。
【発明の詳細な説明】
【技術分野】
【０００１】
本発明は、複数の記録面を有する多層光ディスクにデータを記録又は再生する場合に、層間移動を好適に実現する光ディスク記録再生装置及び光ディスクの記録再生方法に関する。
【背景技術】
【０００２】
片面に２層の記録面を有する追記型光ディスク（ＤＶＤ−Ｒデュアル・レイヤー）では、レイヤー０とレイヤー１の記録面を有するが、従来の再生装置との互換性を確保するために、データをレイヤー０の記録領域だけでなくこれと対向するレイヤー１の記録領域にもペアで記録しなければならない。すなわち、データを複数回に分けて追加記録する場合は、１回目は内周のレイヤー０とその上に位置するレイヤー１に記録し、２回目はそれに続く外周側のレイヤー０とその上に位置するレイヤー１に記録する、という方法をとらなければならない。
【０００３】
この方法を自動的に実現するための手段として、「オートマチック・レイヤー・ジャンプ・レコーディング方式」（以下、ＡＬＪＲと略す）と呼ばれる新たな記録方式が提案されている（非特許文献１参照）。これは、細かい記録単位で層間移動（以下レイヤー・ジャンプ）を繰り返しながら、レイヤー０とレイヤー１に交互に記録していくことにより、内周から外周にかけてレイヤー０とレイヤー１をほぼ均等に記録していく方法である。
【０００４】
ところで、レイヤー・ジャンプは、光ピックアップの合焦位置を回転するディスク上で一方の記録層から他方の記録層へ移動させるわけであるが、高速回転時のディスク面に面振れが生じると、フォーカスサーボの引き込みが不安定になりやすい。その結果、レイヤー・ジャンプに失敗して記録を中断し、あるいは安定するまで長時間を必要とすることになる。
【０００５】
この対策として、例えば特許文献１には、レイヤー・ジャンプに失敗したらディスクの回転速度を減速して、再度レイヤー・ジャンプを実行する技術が記載されている。すなわち、回転速度を下げてサーボ引き込み特性を回復させて、目的の記録層に確実に移動させるものである。
【０００６】
【特許文献１】特開平１０−２５５２７６号公報
【非特許文献１】ｈｔｔｐ：／／ｗｗｗ．ｉｔｍｅｄｉａ．ｃｏ．ｊｐ／ｌｉｆｅｓｔｙｌｅ／ａｒｔｉｃｌｅｓ／０５０１／２８／ｎｅｗｓ０８９．ｈｔｍｌ
【発明の開示】
【発明が解決しようとする課題】
【０００７】
上記ＡＬＪＲ方式ではレイヤー・ジャンプが頻発することになるため、さらに安定したレイヤー・ジャンプの動作が要求される。従来の２層ディスクの再生においては、レイヤー・ジャンプは最外周折り返し時点にて実行すれば良いので、その頻度は少なく、仮にレイヤー・ジャンプに失敗してやり直したとしても、全体の再生動作に支障が生じることはない。しかし上記ＡＬＪＲ方式では、１回のデータを記録、再生する間に、何度もレイヤー・ジャンプを実行する場合があり、その失敗による記録、再生の中断があると全体の動作の大きな障害になる。上記特許文献１の技術は、失敗した場合の処置に関するものであって、頻発するレイヤー・ジャンプの失敗を回避するものではない。
【０００８】
本発明の目的は、上記した課題に鑑み、頻発するレイヤー・ジャンプを安定に実行させ、不要な記録再生動作の中断を回避できる光ディスク記録再生装置および光ディスクの記録再生方法を提供することにある。
【課題を解決するための手段】
【０００９】
本発明による光ディスク記録再生装置は、光ディスクを回転させるスピンドルモータと、光ディスクにデータを記録又は再生するピックアップと、ピックアップの記録再生信号を処理する記録再生処理部と、スピンドルモータの回転とピックアップの移動を制御する制御部とを備える。制御部は、光ディスクの各記録面に層間移動を繰り返して交互にデータを記録するオートマチック・レイヤー・ジャンプ・レコーディング方式に従って記録を実行する場合、光ディスクの回転速度を通常の記録速度Ｖ０よりも減速した速度Ｖ１に設定してデータの記録を実行させる。
【００１０】
あるいは前記制御部は、再生する光ディスクが、各記録面に層間移動を繰り返して交互にデータを記録するオートマチック・レイヤー・ジャンプ・レコーディング方式に従って記録された光ディスクである場合、光ディスクの回転速度を通常の記録速度Ｖ０よりも減速した速度Ｖ２に設定してデータの再生を実行させる。
【００１１】
また本発明による光ディスクの記録再生方法は、光ディスクの各記録面に層間移動を繰り返して交互にデータを記録するオートマチック・レイヤー・ジャンプ・レコーディング方式に従って記録を実行する場合、光ディスクの回転速度を通常の記録速度Ｖ０よりも減速した速度Ｖ１にて記録を実行する。
【００１２】
また本発明による光ディスクの記録再生方法は、光ディスクの各記録面に層間移動を繰り返して交互にデータを記録するオートマチック・レイヤー・ジャンプ・レコーディング方式に従って記録した光ディスクからデータを再生する場合、光ディスクの回転速度を通常の記録速度Ｖ０よりも減速した速度Ｖ２にて再生を実行する。
【発明の効果】
【００１３】
本発明によれば、多層光ディスクにデータを交互に記録又は再生する場合に、記録再生動作の中断をなくし、記録再生を快適に行うことができる。
【発明を実施するための最良の形態】
【００１４】
図１は、本発明による光ディスク記録再生装置１の一実施例を示すブロック図である。２は片面２層の光ディスク（ＤＶＤ−Ｒデュアル・レイヤー）で、ピックアップ３は、光ディスク２にレーザ光を入射し、反射光を電気信号に変換する。記録再生処理回路４は、ピックアップ３に対して記録データ信号を供給し、ピックアップ３から再生した信号を処理する。バッファＲＡＭ５は、記録再生データを一時保存する。光ディスク２を回転させるスピンドルモータ７はモータドライバ８により駆動される。アクチュエータドライバ９はピックアップ３をトラッキング方向に駆動し、また対物レンズを光ディスク２の厚さ方向に移動させ目的の記録層に合焦させる。サーボ回路１０は、モータドライバ８とアクチュエータドライバ９を制御する。Ｉ／Ｆ回路６は外部のホストＰＣ１２との間でデータおよび制御情報を入出力する。マイクロプロセッサ１１は、装置全体の制御を行う。
【００１５】
上記構成において、記録時は、ホストＰＣ１２から記録データと記録制御情報が伝送される。記録再生処理回路４は記録データをレーザ光の記録パルス信号に変換し、ピックアップ３に供給する。その際マイクロプロセッサ１１は、記録制御情報に基づいて、サーボ回路に光ディスクの回転数の設定と層間移動（レイヤー・ジャンプ）を指示し、モータドライバ８とアクチュエータドライバ９は、これに従いスピンドルモータ７とピックアップ３を駆動する。一方再生時は、光ディスク２から再生したデータは記録再生処理回路４にて変換処理し、ホストＰＣ１２へ伝送する。その際、光ディスク２から読み取った制御情報及びホストＰＣ１２からの再生制御情報に基づき、マイクロプロセッサ１１はサーボ回路に光ディスクの回転数の設定とレイヤー・ジャンプを指示し、スピンドルモータ７とピックアップ３を駆動する。
【００１６】
本実施例では、光ディスクの記録方式が以下に述べるオートマチック・レイヤー・ジャンプ・レコーディング（ＡＬＪＲ）方式の場合には、光ディスクの回転速度を減速する。また、ＡＬＪＲ方式にて記録された光ディスクからデータを再生する場合には、光ディスクの回転速度を減速する。
【００１７】
図２は、本実施例における光ディスクの記録領域レイアウトと記録順序の一例を示す図である。光ディスクは、ＤＶＤ−Ｒデュアル・レイヤー・ディスクの場合である。
【００１８】
図２（ａ）は、未記録ディスクの状態で、レイヤー０には内周側から外周側に向かって、リードイン領域２２、データ領域２０、ミドル領域２３を有する。レイヤー１には内周側から外周側に向かって、リードアウト領域２５、データ領域２１、ミドル領域２４を有する。
【００１９】
図２（ｂ）は、１回目のデータを記録した状態を示す。レイヤー０には内周側に記録済領域２０１が設けられ、レイヤー１には内周側に記録済領域２１１が設けられる。この時、これらの記録済領域２０１、２１１は互いにディスク内の対向する位置に、ほぼ同一の領域長さで設けられる。
【００２０】
図２（ｃ）は、２回目のデータを追加記録した状態を示す。レイヤー０には記録済領域２０２が、レイヤー１には記録済領域２１２が追加されて設けられる。このように、ＤＶＤ−Ｒデュアル・レイヤー・ディスクでは、データをレイヤー０とレイヤー１とにペアでほぼ均等に記録する（ペア記録）。
【００２１】
図２（ｄ）は、図２（ｂ）（ｃ）のペア記録を自動的に行う方法として、オートマチック・レイヤー・ジャンプ・レコーディング（ＡＬＪＲ）方式による記録状態を示す。この図は、例として上記１回目の記録領域２０１、２１１の記録方法を示す。記録データを予め決められた単位のサイズに分割して、始めにレイヤー０の領域２０１ａに矢印（１）の方向（外周方向）に記録する。領域２０１ａの記録が終了すると、矢印（２）のようにレイヤー１に層間移動（レイヤー・ジャンプ）する。そして、対向するレイヤー１の領域２１１ａを矢印（３）のように逆方向（内周方向）に記録する。領域２１１ａの記録が終了すると、矢印（４）のようにレイヤー０にレイヤー・ジャンプする。そして、記録済みの領域２０１ａに続けて、矢印（５）のように領域２０１ｂに記録する。以下同様に繰り返し、領域２１１ｂ、領域２０１ｃ、・・・、領域２１１ｄの順に記録する。もし最終の領域２１１ｄにおいて記録データに不足があれば、ダミーデータを付加するなどの処理を行い、所定のサイズとする。このように、ＡＬＪＲ方式では、レイヤー・ジャンプを繰り返して、レイヤー０とレイヤー１とに交互に記録する。
【００２２】
ここでＡＬＪＲ方式による記録を実行するに当たり、データを分割するサイズの大きさ、記録開始位置（アドレス）、レイヤー・ジャンプ位置、記録終了位置などの記録制御情報（ＲＭＤ：Ｒｅｃｏｒｄｉｎｇ  Ｍａｎａｇｅｍｅｎｔ  Ｄａｔａ）は、ホストＰＣ１２から指定される。また、ＡＬＪＲ方式による記録を実行した場合、ＡＬＪＲ方式で記録されたことを示す情報がディスク上のＲＭＤ記録領域に記録される。
【００２３】
図３は、本発明による光ディスクの記録方法の一実施例を示すフローチャート図である。
【００２４】
光ディスク装置は記録の指示を受けると（Ｓ３０）、ホストＰＣ１２より記録制御情報（ＲＭＤ）を取得する（Ｓ３１）。マイクロプロセッサ１１は、取得したＲＭＤ情報の中に、ＡＬＪＲ方式にて記録する指定の有無を判定する（Ｓ３２）。ＡＬＪＲ指定ありの場合は、サーボ回路１０及びモータドライバ８に対して、光ディスクの回転速度を通常の速度Ｖ０よりも低い速度Ｖ１に減速して設定する（Ｓ３３）。ＡＬＪＲ指定なしの場合は、減速せず通常の速度Ｖ０に設定する（Ｓ３４）。速度が設定されたら、データの記録を開始する（Ｓ３５）。ＡＬＪＲ方式に従って記録する場合は、ＲＭＤ情報から取得したアドレス情報に基づき、レイヤー・ジャンプを実行する。
【００２５】
本実施例での速度設定は、通常速度Ｖ０が１６倍速の場合、減速時の速度Ｖ１を例えば８倍速、または４倍速に設定する。Ｖ１をどのように設定するかは、装置のサーボ特性及び光ディスクの種類と記録面の精度等に応じて、安定にサーボ引き込みが可能な速度に決定する。
【００２６】
このように本実施例によれば、レイヤー・ジャンプが頻繁に発生するＡＬＪＲ方式において、安定にレイヤー・ジャンプを実行できるので、記録動作が中断することがない。
【００２７】
図４は、本発明による光ディスクの再生方法の一実施例を示すフローチャート図である。
【００２８】
光ディスク装置は再生の指示を受けると（Ｓ４０）、ディスクから記録制御情報（ＲＭＤ）を取得する（Ｓ４１）。マイクロプロセッサ１１は、取得したＲＭＤ情報の中に、ＡＬＪＲ方式にて記録したことを示す情報の有無を判定する（Ｓ４２）。ＡＬＪＲ記録の情報ありの場合は、さらに、ホストＰＣ１１からのリード命令により、ＡＬＪＲ方式に従った再生（すなわちレイヤー・ジャンプあり）が指示されているかどうかを判定する（Ｓ４３）。ＡＬＪＲ方式に従った再生が指示されていれば、サーボ回路１０及びモータドライバ８に対して、光ディスクの回転速度を通常の速度Ｖ０よりも低い速度Ｖ２に減速して設定する（Ｓ４４）。Ｓ４２で、ＡＬＪＲ記録の情報なしの場合は、減速せず通常の速度Ｖ０に設定する（Ｓ４５）。またＳ４３で、ＡＬＪＲ方式以外の方式での再生が指示されていれば、減速せず通常の速度Ｖ０に設定する（Ｓ４５）。速度設定したら、データの再生を開始する（Ｓ４６）。ここで再生時の減速速度Ｖ２は、上記記録時の減速速度Ｖ１とは別に定めることができる。
【００２９】
ディスクにＡＬＪＲ方式にて記録されながら、ＡＬＪＲ方式での順番以外の順番で再生する場合として、例えばベンチマークテストがある。これは、ディスク装置の再生処理速度をテストするために、同一の記録面のデータを物理アドレス順に順次再生するものである。この場合にはＡＬＪＲで指定された位置でレイヤー・ジャンプせずに再生するので、回転速度を減速する必要はない。
【００３０】
このように本実施例によれば、レイヤー・ジャンプが頻繁に発生するＡＬＪＲ方式において、安定にレイヤー・ジャンプを実行できるので、再生動作が中断することがない。
【００３１】
上記各実施例においては、ＡＬＪＲ方式による記録再生時は全期間において減速して動作させるものとした。その場合、記録再生期間に要する時間は従来と比較し増大することになる。それを回避するためには、レイヤー・ジャンプ動作期間のみ減速し、ジャンプ後の記録再生期間は通常の速度に戻す制御も可能である。その場合には、記録再生に要する時間は従来と同一であるので、本発明を実施することによる記録再生時間の増大を解消することができる。
【００３２】
上記各実施例においては、記録面が片面２層の光ディスク（ＤＶＤ−Ｒデュアル・レイヤー）の場合を例に説明したが、本発明はこれに限らず、３層以上の記録面を有する記録再生可能な媒体にも同様に適用できる。
【００３３】
さらに、レイヤー・ジャンプ動作が頻発するオートマチック・レイヤー・ジャンプ・レコーディング（ＡＬＪＲ）方式を例に取り上げたが、これに限らず、頻繁なレイヤー・ジャンプを必要とする記録再生方式にも同様に適用できる。
【図面の簡単な説明】
【００３４】
【図１】本発明による光ディスク記録再生装置の一実施例を示すブロック図。
【図２】本実施例における光ディスクの記録領域レイアウトと記録順序の一例を示す図。
【図３】本発明による光ディスクの記録方法の一実施例を示すフローチャート図。
【図４】本発明による光ディスクの再生方法の一実施例を示すフローチャート図。
【符号の説明】
【００３５】
１…光ディスク記録再生装置、２…光ディスク、３…ピックアップ、４…記録再生処理回路、５…バッファＲＡＭ、６…Ｉ／Ｆ回路、７…スピンドルモータ、８…モータドライバ、９…アクチュエータドライバ、１０…サーボ回路、１１…マイクロプロセッサ、１２…ホストＰＣ。
【図１】
2006309814.tif 000003
【図２】
2006309814.tif 000004
【図３】
2006309814.tif 000005
【図４】
2006309814.tif 000006